(57)【要約】【課題】安定した検出動作を行うことのできる傾斜センサを得る。【解決手段】傾斜センサ１は、加速度センサ２と、加速度センサ２の出力電圧Ｖを基準電圧Ｖ１，Ｖ２と比較するコンパレータＵ３―２，Ｕ３−１と、コンパレータＵ３―２，Ｕ３−１のヒステリシスを使用状況に応じて切り替える切替部３２と、切替部３２によりヒステリシスが切り替えられたコンパレータＵ３―２，Ｕ３−１の出力に基づいて傾斜を検出するロジック回路Ｕ５とを備える。【選択図】図８
2013124948.tif 000002
【特許請求の範囲】
【請求項１】
加速度センサと、
前記加速度センサの出力電圧を基準電圧と比較する比較部と、
前記比較部のヒステリシスを使用状況に応じて切り替える切替部と、
前記切替部によりヒステリシスが切り替えられた比較部の出力に基づいて傾斜を検出する検出部と
を備えることを特徴とする傾斜センサ。
【請求項２】
前記切替部は、前記比較部の帰還抵抗部分に追加された切替回路であり、抵抗と切替スイッチを有することを特徴とする請求項１に記載の傾斜センサ。
【請求項３】
複数の抵抗をそれぞれ切替スイッチを介して並列に接続し、複数のヒステリシスを選択的に切り替えることを特徴とする請求項２に記載の傾斜センサ。
【請求項４】
抵抗値を連続的に変更可能な可変抵抗を用いてヒステリシスを切り替えることを特徴とする請求項２に記載の傾斜センサ。
【請求項５】
２接点同時切り替えの切替スイッチを用いて＋側傾斜、−側傾斜のヒステリシスを同時に切り替えることを特徴とする請求項２に記載の傾斜センサ。
【発明の詳細な説明】
【技術分野】
【０００１】
本発明は、加速度センサを用いて傾斜を検出する傾斜センサに関する。
【背景技術】
【０００２】
従来より、傾斜を検出する装置が知られている（特許文献１〜３参照）。例えば、加速度センサの出力電圧をコンパレータを用いて基準電圧と比較し、基準電圧を超えた場合（傾斜角度が設定角度を超えた場合）に出力がＯＮし、外部に接続したブザー等を鳴動させる。このようなコンパレータでは、耐ノイズ性を高めるためにヒステリシスを設けることが知られている。すなわち、−から＋になるときの比較の閾値と＋から−になるときの比較の閾値を変えることで、その分だけノイズの影響を受けないようになっている。
【先行技術文献】
【特許文献】
【０００３】
【特許文献１】特開昭５９−２２７６９２号公報
【特許文献２】国際公開第２００９／０４１２４１号
【特許文献３】特開２０１１−１２２９８２号公報
【発明の概要】
【発明が解決しようとする課題】
【０００４】
しかしながら、従来は、出荷時の抵抗定数によりコンパレータの閾値とヒステリシスが固定値となっている。そのため、使用状況によっては、出力がヒステリシス幅を超えて振動し、ＯＮ／ＯＦＦを繰り返す場合があった。
【０００５】
そこで、本発明は、安定した検出動作を行うことのできる傾斜センサを得ることを目的とする。
【課題を解決するための手段】
【０００６】
本発明は、傾斜センサであって、加速度センサと、前記加速度センサの出力電圧を基準電圧と比較する比較部と、前記比較部のヒステリシスを使用状況に応じて切り替える切替部と、前記切替部によりヒステリシスが切り替えられた比較部の出力に基づいて傾斜を検出する検出部とを備える。
【０００７】
また、本発明において、前記切替部は、前記比較部の帰還抵抗部分に追加された切替回路であり、抵抗と切替スイッチを有してもよい。
【０００８】
また、本発明において、複数の抵抗をそれぞれ切替スイッチを介して並列に接続し、複数のヒステリシスを選択的に切り替えてもよい。
【０００９】
また、本発明において、抵抗値を連続的に変更可能な可変抵抗を用いてヒステリシスを切り替えてもよい。
【００１０】
また、本発明において、２接点同時切り替えの切替スイッチを用いて＋側傾斜、−側傾斜のヒステリシスを同時に切り替えてもよい。
【発明の効果】
【００１１】
本発明によれば、ヒステリシスを使用状況に応じて切り替えることができるため、安定した検出動作を行うことのできる傾斜センサを提供することが可能となる。
【図面の簡単な説明】
【００１２】
【図１】図１は、第１の実施形態にかかる傾斜センサの外観図であって、（ａ）は分解斜視図、（ｂ）は組立状態の斜視図である。
【図２】図２は、図１の傾斜センサの一部透視斜視図である。
【図３】図３は、図１の傾斜センサの分解斜視図である。
【図４】図４は、図１の傾斜センサの説明図であって、（ａ）は平面図、（ｂ）は正面図、（ｃ）は側面図である。
【図５】図５は、図１の傾斜センサのコネクタハウジングの説明図であって、（ａ）は平面図、（ｂ）は側面図、（ｃ）は斜視図、（ｄ）は後面図である。
【図６】図６は、図１の傾斜センサの説明図であって、（ａ）は基板の平面図、（ｂ）は同基板のボス用貫通孔の非重複範囲を説明する拡大図である。
【図７】図７は、第１の実施形態にかかる傾斜センサの機能ブロック図である。
【図８】図８は、第１の実施形態にかかる傾斜センサの回路構成図である。
【図９】図９は、第１の実施形態にかかる傾斜センサの角度と出力電圧の関係を示すグラフであって、（ａ）はヒステリシス切り替え前のグラフ、（ｂ）はヒステリシス切り替え後のグラフである。
【図１０】図１０は、図８に示す各部の出力を示す図である。
【図１１】図１１は、図８に示す各部の出力を示す図である。
【図１２】図１２は、第２の実施形態にかかる傾斜センサの回路構成図である。
【図１３】図１３は、第３の実施形態にかかる傾斜センサの回路構成図である。
【図１４】図１４は、第４の実施形態にかかる傾斜センサの回路構成図である。
【発明を実施するための形態】
【００１３】
以下、本発明の実施形態について図面を参照しつつ詳細に説明する。なお、以下の複数の実施形態には、同様の構成要素が含まれている。よって、以下では、それら同様の構成要素には共通の符号を付与するとともに、重複する説明を省略する。
【００１４】
（第１の実施形態）
図１乃至図６は、本実施形態にかかる傾斜センサ１を示す。
【００１５】
傾斜センサ１は、加速度センサ２を実装した基板１１１と、この基板１１１と電気的に接続される３本のコネクタ端子１１２を備えたコネクタハウジング１１３（以下、単にハウジングともいう）とを備える。基板１１１は、コネクタハウジング１１３に設けられた台座部１１４に載置され固定される。傾斜センサ１は、必要に応じて、更にハウジングケース１１３ｃと封止材１１３ｄとを備える。
【００１６】
コネクタハウジング１１３は、コネクタ端子１１２の中間部を樹脂に埋設した状態で、樹脂成形によりコネクタ端子１１２と一体的に成形されている。コネクタハウジング１１３は、前方に突出しかつ前方に向けて開口するコネクタソケット部１１３ａと、基板１１１を固定するための左右一対の台座部１１４（１１４Ｌ、１１４Ｒ）と、コネクタソケット部１１３ａと台座部１１４との間に位置して双方を隔離する隔壁１１３ｂとを備えている。コネクタソケット部１１３ａは、傾斜センサ１を外部回路に電気的に接続するためのコネクタソケットを構成している。隔壁１１３ｂは、コネクタソケット部１１３ａの突設方向に直交する平面に略平行に延びており、台座部１１４は、隔壁１１３ｂの後側の面から後方に突設されている。各台座部１１４の上部には、基板１１１を受けるための平坦部１１４ａ（基板受け面）が設けられている。右台座部１１４Ｒの平坦部１１４ａは、左台座部１１４Ｌの平坦部１１４ａとともに、隔壁１１３ｂに略直交する１つの水平面を規定している。各平坦部１１４ａには、各々２本ずつ（計４本の）ボス１１５が立設されている。
【００１７】
コネクタ端子１１２の前部は、コネクタハウジング１１３の樹脂部から前方へ導出されて、コネクタソケット部１１３ａの底面から前方に突出し、その前端部において、コネクタソケットのピンを形成している。コネクタ端子１１２の後部は、隔壁１１３ｂから後方へ導出されて直線状に延びたのち、隔壁１１３ｂから十分離間した位置（基板１１１の後方辺縁付近）において略直角に上方に折り曲げられ、基板１１１に半田付けで固定されている。すなわち、コネクタ端子１１２は、基板１１１側の固定点と隔壁１１３ｂ側の固定点との間で大きくＬ字状に屈曲した形状を呈しており、該Ｌ字状屈曲部の水平部は、隔壁１１３ｂから基板１１１の後方辺縁に至る長さ（基板１１１の短辺に相当する長さ）を有している。また、３本のコネクタ端子１１２は、それぞれ同一の形状を有しており、それらの後方端は、基板１１１上における隔壁１１３ｂに平行な直線に沿って並置される。３本のコネクタ端子１１２は、例えば、電圧印加用の端子、センシング信号用の端子、および接地端子である。
【００１８】
基板１１１は、平面視で略矩形状の回路基板であり、３本のコネクタ端子１１２との電気的な接続をするための３つの電極部１１１ａ、および４本のボス１１５を挿通させるための３つのボス用貫通孔１１１ｂが設けられている。電極部１１１ａは、コネクタ端子１１２を挿通して半田付けするための半田用貫通孔であり、孔の内部と上下開口の周辺部に半田付け用の導体を備えている。基板１１１には、加速度センサ２と加速度センサ２の信号増幅のための増幅回路（不図示）が実装され、これらの回路とコネクタ端子１１２とは、基板１１１上に形成された回路パターン（不図示）を通して電気的に接続される。
【００１９】
基板１１１は、コネクタハウジング１１３の台座部１１４上に、裏面を平坦部１１４ａに対向させた状態で載置され（以下、この状態において平坦部１１４ａに対向する基板１１１の裏面を対向面ともいう）、平坦部１１４ａと基板１１１の対向面との間の接着、ボス１１５の側面とボス用貫通孔１１１ｂの内周面との間の接着、およびコネクタ端子１１２と電極部１１１ａとの間の半田付けにより、コネクタハウジング１１３に固定される。上記接着は、基板１１１を台座部１１４上に取り付けたのち、基板１１１の表面側からボス用貫通孔１１１ｂ内部に接着剤を流し込むことで、平坦部１１４ａと基板１１１の対向面との間、およびボス１１５の側面とボス用貫通孔１１１ｂの内周面との間に接着剤を行き渡らせることにより行う。なお、接着剤は、特に限定されず、シリコーン系接着剤、エポキシ系接着剤、シリコーン系ゲル、ウレタン系接着剤、ポリエステル接着剤、シリコン樹脂等様々な種類のものを用いることができる。
【００２０】
基板１１１は、裏面を平坦部１１４ａに対向させた状態（正規の状態）で台座部１１４上に載置されたときに、コネクタハウジング１１３側の係合突起であるボス１１５およびコネクタ端子１１２が基板１１１上に設けられた複数の係合孔である電極部１１１ａおよびボス用貫通孔１１１ｂに挿通されることで、コネクタハウジング１１３に対して位置決めされる。
【００２１】
一方、基板１１１を、表面を平坦部１１４ａに対向させた状態（表裏逆の状態）で台座部１１４上に載置したときは、コネクタハウジング１１３側の係合突起が、基板１１１上に設けられた係合孔に挿入されないようになっている。換言すれば、少なくともコネクタハウジング１１３側の係合突起の一部が、基板１１１を台座部１１４に正規の状態で載置したときの係合孔の範囲と表裏逆の状態で載置したときの係合孔の範囲との重複範囲の外側に、位置するようになっている。
【００２２】
基板１１１の形状は、略矩形状であり、長辺に平行な対称軸Ｘと短辺に平行な対称軸Ｙとの両方に対して線対称である。基板１１１のボス用貫通孔１１１ｂは、左台座部１１４Ｌの２本のボス１１５を挿通させるための左側ボス用貫通孔１１１ｂＬと、右台座部１１４Ｒの２本のボス１１５を挿通させるための右側ボス用貫通孔１１１ｂＲとから構成される。左側ボス用貫通孔１１１ｂＬは、Ｘ軸を挟んで略対称に配置され、Ｙ軸に平行に延びる２つの長孔からなり、右側ボス用貫通孔１１１ｂＲは、Ｘ軸を跨いでＹ軸に平行に延びる１つの長孔からなる。そして、これらの長孔の範囲は、左側ボス用貫通孔１１１ｂＬまたは右側ボス用貫通孔１１１ｂＲのいずれかをＹ軸に関して線対称移動させたとき、移動後のボス用貫通孔と他方のボス用貫通孔との間に、互いに重複しない範囲（非重複範囲）が生じるように設定されている。本実施形態では、各左側ボス用貫通孔１１１ｂＬのＹ軸方向外側端部および右側ボス用貫通孔１１１ｂＲのＹ軸方向中央部が非重複範囲として設定されている。なお、電極部１１１ａは、Ｘ軸よりも隔壁１１３ｂから離間した側に略Ｘ軸と平行な直線に沿って並置されている。
【００２３】
左台座部１１４Ｌの２本のボス１１５は、左側ボス用貫通孔１１１ｂＬに挿通されたときに、各左側ボス用貫通孔１１１ｂＬのＹ軸方向外側端部に位置するように配置されている。右台座部１１４Ｒの２本のボス１１５は、右側ボス用貫通孔１１１ｂＲに挿通されたときに、それぞれ右側ボス用貫通孔１１１ｂＲのＹ軸方向外側端部に位置するように配置されている。すなわち、左台座部１１４Ｌの２本のボス１１５は、ボス用貫通孔１１１ｂの非重複範囲に位置するように配置されている。従って、基板１１１を台座部１１４に表裏逆の状態で取り付けようとした場合は、少なくとも左台座部１１４Ｌのボス１１５が基板１１１のボス用貫通孔１１１ｂ以外の部分、具体的には、右側ボス用貫通孔１１１ｂＲ周囲の非重複範囲に対応する領域（干渉部）に干渉するようになっている。
【００２４】
なお、左側ボス用貫通孔１１１ｂＬを、右側ボス用貫通孔１１１ｂＲと同様に、Ｘ軸を跨いでＹ軸に平行に延びる１つの長孔とし、この１つの左側ボス用貫通孔１１１ｂＬのＹ軸方向外側端部（非重複範囲）に左台座部１１４Ｌの２本のボス１１５が挿通されるようにしてもよい。
【００２５】
コネクタハウジング１１３に固定された基板１１１は、隔壁１１３ｂとハウジングケース１１３ｃとによって周囲を覆われ、封止材１１３ｄによって封止されて、外部環境から保護される。基板１１１を封止した状態の傾斜センサ１は、ブラケット１１６によって測定環境に固定されてセンシングに用いられる。ブラケット１１６は、左右の環境固定用の取付孔１１６ａを有するベース部と、ベース部から立ち上がった保持部１１６ｂとを備えている。保持部１１６ｂは、ハウジングケース１１３ｃに設けられた取付部１１３ｅの取付孔に挿入係合され、傾斜センサ１が測定環境に固定される。
【００２６】
上記実施形態では、基板１１１を台座部１１４に表裏逆の状態で取り付けようとした場合に、左台座部１１４Ｌの２本のボス１１５が基板１１１の右側ボス用貫通孔１１１ｂＲ周囲の非重複範囲に対応する領域に干渉するようにした例を示したが、本発明に係る基板取付け構造は、これに限らない。基板取付け構造は、基板１１１を台座部１１４に表裏逆の状態で取り付けようとした場合に、台座部１１４に設けられたボス１１５のいずれかが基板１１１のボス用貫通孔１１１ｂ以外の部分と干渉し、或いは、コネクタ端子１１２のいずれかが基板１１１の電極部１１１ａ以外の部分に干渉するようになっていればよい。
【００２７】
図７は、本実施形態にかかる傾斜センサ１の機能ブロック図である。この図に示すように、傾斜センサ１は、５Ｖ電源１と、加速度センサ２と、比較回路３１と、論理回路３２と、切替部３３と、出力回路４とを備えている。加速度センサ２は、傾斜角度に応じた電圧を出力する。比較回路３１は、加速度センサ２の出力電圧を基準電圧と比較する。切替部３３は、比較回路３１のヒステリシスを使用状況に応じて切り替える。論理回路３２は、切替部３３によりヒステリシスが切り替えられた比較回路３１の出力に基づいて傾斜を検出する。以下では、比較回路３１、論理回路３２、切替部３３を一括して「傾斜検出部３」という場合がある。
【００２８】
図８は、本実施形態にかかる傾斜センサ１の回路構成図である。ここでは、傾斜検出部３の回路構成を中心に説明する。この傾斜センサ１は、設定した角度以上に傾いた場合に出力（オープンコレクタ、接点）等を行うものであり、比較回路３１の帰還抵抗部分に切替部３３を備えている。切替部３３は、具体的には、抵抗Ｒ６１（Ｒ１０１）に並列に接続された抵抗Ｒ６２（Ｒ１０２）と、抵抗Ｒ６２（Ｒ１０２）の接続を切り替えるディップスイッチ等の切替スイッチＳＷ６２（ＳＷ１０２）を有する切替回路である。ここでは、切替スイッチＳＷ６２（ＳＷ１０２）はＯＦＦになっているものとする。
【００２９】
抵抗Ｒ３，Ｒ４及びＲ７，Ｒ８の抵抗分圧によりコンパレータＵ３―２，Ｕ３−１の基準電圧Ｖ１，Ｖ２を作っており、加速度センサ２の出力電圧Ｖの値によりコンパレータＵ３―２，Ｕ３−１の出力がＨ／Ｌに変化する。以下では、コンパレータＵ３―２，Ｕ３−１を一括して「コンパレータＵ３」という場合がある。
【００３０】
加速度センサ２の出力電圧Ｖは、図９（ａ）に示すように、加速度センサ２の角度（傾き）により可変する。すなわち、加速度センサ２が＋側に傾くほど高い値となり、逆に、加速度センサ２が−側に傾くほど低い値となる。
【００３１】
コンパレータＵ３−１の出力は、図１０に示すように、抵抗Ｒ５，Ｒ６によりヒステリシスＨ２１を持つ。抵抗Ｒ６は、抵抗Ｒ６１と切替部３３ａの合成抵抗である。この図に示すように、＋側傾斜について、−から＋になるときの基準電圧Ｖ２Ｈと＋から−になるときの基準電圧Ｖ２Ｌを変えている。同様に、コンパレータＵ３―２の出力は、抵抗Ｒ９，Ｒ１０によりヒステリシスＨ１１を持つ。抵抗Ｒ１０は、抵抗１０１と切替部３３ｂの合成抵抗である。この図に示すように、−側傾斜について、−から＋になるときの基準電圧Ｖ１Ｈと＋から−になるときの基準電圧Ｖ１Ｌを変えている。
【００３２】
コンパレータＵ３−１の出力はトランジスタＵ４により反転され、コンパレータＵ３−２の出力との組み合わせによりロジック回路Ｕ５で論理変換される。ロジック回路Ｕ５の出力がＨになると、出力トランジスタＵ６がＯＮし、外部に接続されたブザー等が鳴動するようになっている。
【００３３】
図１１に、各部の出力を示す。この図に示すように、コンパレータＵ３−１の出力は、加速度センサ２の出力電圧Ｖが基準電圧Ｖ１より低い場合はＨ、基準電圧Ｖ１より高く基準電圧Ｖ２より低い場合はＨ、基準電圧Ｖ２より高い場合はＬとなる。また、コンパレータＵ３―２の出力は、加速度センサ２の出力電圧Ｖが基準電圧Ｖ１より低い場合はＨ、基準電圧Ｖ１より高く基準電圧Ｖ２より低い場合はＬ、基準電圧Ｖ２より高い場合はＬとなる。また、トランジスタＵ４の出力は、加速度センサ２の出力電圧Ｖが基準電圧Ｖ１より低い場合はＬ、基準電圧Ｖ１より高く基準電圧Ｖ２より低い場合はＬ、基準電圧Ｖ２より高い場合はＨとなる。また、ロジック回路Ｕ５の出力は、加速度センサ２の出力電圧Ｖが基準電圧Ｖ１より低い場合はＨ、基準電圧Ｖ１より高く基準電圧Ｖ２より低い場合はＬ、基準電圧Ｖ２より高い場合はＨとなる。また、出力トランジスタＵ６の出力は、加速度センサ２の出力電圧Ｖが基準電圧Ｖ１より低い場合はＬ、基準電圧Ｖ１より高く基準電圧Ｖ２より低い場合はＨ、基準電圧Ｖ２より高い場合はＬとなる。ヒステリシスが設けられている点は既に説明した通りである。
【００３４】
ここで、センサ出力がＯＮ／ＯＦＦを繰り返す場合は、切替スイッチＳＷ６２およびＳＷ１０２をＯＮにする。これにより、抵抗Ｒ６，Ｒ１０が変化するため、図９（ｂ）に示すように、基準電圧Ｖ１Ｈ，Ｖ２Ｌが変化する。その結果、図１０に示すように、＋側傾斜のヒステリシスがＨ１１からＨ１２に切り替わり、−側傾斜のヒステリシスがＨ２１からＨ２２に切り替わる。このようにヒステリシス幅が広がると、一度検出した後はＯＮが保持されるため、安定した検出動作を行うことが可能となる。
【００３５】
以上のように、本実施形態では、ヒステリシスを使用状況に応じて切り替えることができるため、安定した検出動作を行うことのできる傾斜センサを提供することが可能となる。具体的には、切替部３３は、比較回路３１の帰還抵抗部分に追加された切替回路であり、抵抗と切替スイッチを有する。このような簡単な回路構成でヒステリシス幅を２水準から選択することが可能である。
【００３６】
（第２の実施形態）
以下、第２の実施形態を第１の実施形態と異なる点のみ説明する。
【００３７】
図１２は、本実施形態にかかる傾斜センサ１の回路構成図である。ここでは、＋側傾斜の切替部３３ａに着目して説明するが、−側傾斜の切替部３３ｂについても同様である。この図に示すように、複数の抵抗Ｒ６３，Ｒ６４，Ｒ６５をそれぞれ切替スイッチＳＷ６３，ＳＷ６４，ＳＷ６５を介して並列に接続し、複数のヒステリシスを選択的に切り替える。具体的には、切替スイッチＳＷ６３，ＳＷ６４，ＳＷ６５を選択的に切り替え、センサ出力がＯＮ／ＯＦＦを繰り返さないように調整するようになっている。
【００３８】
以上のように、本実施形態では、ヒステリシス幅を３以上の水準から選択することができるため、より使用状況に応じたヒステリシスの切り替えが可能となる。
【００３９】
（第３の実施形態）
以下、第３の実施形態を第１又は第２の実施形態と異なる点のみ説明する。
【００４０】
図１３は、本実施形態にかかる傾斜センサ１の回路構成図である。ここでも、＋側傾斜の切替部３３ａに着目して説明するが、−側傾斜の切替部３３ｂについても同様である。この図に示すように、抵抗値を連続的に変更可能な可変抵抗Ｒ６６を用いてヒステリシスを切り替える。具体的には、可変抵抗Ｒ６６の抵抗値を徐々に変更し、センサ出力がＯＮ／ＯＦＦを繰り返さないように調整するようになっている。
【００４１】
以上のように、本実施形態では、可変抵抗Ｒ６により連続的にヒステリシス幅を切り替えることができるため、より使用状況に応じたヒステリシスの切り替えが可能となる。
【００４２】
（第４の実施形態）
以下、第４の実施形態を第１〜第３の実施形態と異なる点のみ説明する。
【００４３】
図１４は、本実施形態にかかる傾斜センサ１の回路構成図である。この図に示すように、２接点同時切り替えの切替スイッチＳＷ６７およびＳＷ１０７を用いて＋側傾斜、−側傾斜のヒステリシスを同時に切り替えるようになっている。
【００４４】
以上のように、本実施形態では、＋側、−側傾斜のヒステリシスを一つの操作で同時に切り替えることができるため、片方向の切り替え忘れの防止と操作部の削減が可能となる。
【００４５】
以上、本発明の好適な実施形態について説明したが、本発明は上記実施形態には限定されず、種々の変形が可能である。例えば、図１では、センサ実装基板１０に加速度センサ２を１つだけ実装した構成を例示しているが、複数の加速度センサ２を実装することも可能である。もちろん、図８等に示す回路構成も単なる一例であり、同様の機能を実現する別の回路構成を採用することも可能である。
【符号の説明】
【００４６】
１  傾斜センサ
２  加速度センサ
３１  比較回路（比較部）
３２  論理回路（検出部）
３３  切替部
Ｈ１１，Ｈ１２，Ｈ２１，Ｈ２２  ヒステリシス
Ｒ６２〜Ｒ６７，Ｒ１０２〜Ｒ１０７  抵抗
ＳＷ６２〜ＳＷ６７，ＳＷ１０２〜ＳＷ１０７  切替スイッチ
Ｒ６６  可変抵抗
ＳＷ６７，ＳＷ１０７  ２接点同時切り替えの切替スイッチ
【図１】
2013124948.tif 000003
【図２】
2013124948.tif 000004
【図３】
2013124948.tif 000005
【図４】
2013124948.tif 000006
【図５】
2013124948.tif 000007
【図６】
2013124948.tif 000008
【図７】
2013124948.tif 000009
【図８】
2013124948.tif 000010
【図９】
2013124948.tif 000011
【図１０】
2013124948.tif 000012
【図１１】
2013124948.tif 000013
【図１２】
2013124948.tif 000014
【図１３】
2013124948.tif 000015
【図１４】
2013124948.tif 000016